(57)【特許請求の範囲】
【請求項１】
乳児又は幼児を利用の対象者とし、前記対象者を支持する支持部に載置可能な敷物であって、
平らな形態であり、前記支持部への載置状態において前記対象者の頭部と前記支持部との間に位置できる頭部用部位と、
平らな形態であり、前記載置状態において前記対象者の胴部と前記支持部との間に位置できる胴部用部位とを備え、
前記頭部用部位及び前記胴部用部位のうちの一方の部位は、他方の部位の端部を内部に挿入可能な収納部を有し、
前記収納部と前記端部とは、複数種類の接続形態で取外し可能に接続可能であり、
前記複数種類の接続形態は、前記載置状態において前記頭部用部位の表面側と前記胴部用部位の表面側とが前記対象者又は前記支持部に向く第１接続形態と、前記載置状態において前記頭部用部位の表面側と前記胴部用部位の裏面側とが前記対象者又は前記支持部に向く第２接続形態と、を含み、
前記頭部用部位及び前記胴部用部位のそれぞれは、表面側の表面素材と、裏面側の表面素材とが異なり、
前記頭部用部位及び前記胴部用部位のそれぞれの前記表面側の表面素材には、触ると冷たさを感じる接触冷感素材が適用され、前記頭部用部位及び前記胴部用部位のそれぞれの前記裏面側の表面素材には、吸湿性及び吸水性に優れる素材が適用され、
前記載置状態として、前記第１接続形態及び前記第２接続形態のそれぞれにおいて、前記敷物の使用時に、前記敷物の一の表面が前記対象者に向く第１載置状態と、前記敷物の前記一の表面が前記支持部に向く第２載置状態と、が選択可能である、敷物。
【請求項２】
吸湿性及び吸水性に優れる前記素材は、コットンを含む、請求項１に記載の敷物。
【請求項３】
前記収納部は、前記表面側の表面素材と、前記裏面側の表面素材との間に形成される、請求項１または２に記載の敷物。
【請求項４】
前記胴部用部位から一体的に連続し、前記載置状態において前記対象者の脚部と前記支持部との間に位置できる脚部用部位とを更に備え、
前記胴部用部位及び前記脚部用部位は、全体としての外周が一周にわたり連続的に縫製され、
前記縫製の開始位置は、前記胴部用部位の外周のうちの直線状の区間内に設定される、請求項１〜３のうちのいずれか１項に記載の敷物。
【請求項５】
前記収納部は、袋状の内部側の対向する２つの表面に、第１面ファスナーを有し、
前記端部は、表面側と裏面側の２つの表面に、前記第１面ファスナーに係合可能な第２面ファスナーを有する、請求項１〜４のうちのいずれか１項に記載の敷物。
【請求項６】
前記第２面ファスナーは、メス型である、請求項５に記載の敷物。
【発明の詳細な説明】
【技術分野】
【０００１】
本開示は、乳児又は幼児を利用の対象者とする敷物に関する。
【背景技術】
【０００２】
乳児又は幼児を利用の対象者とし、対象者を支持する支持部に載置可能な敷物が知られている。例えば、特許文献１には、ベビーカーの支持部に載置可能な冷却用ジェルパッドが開示されている。
【先行技術文献】
【特許文献】
【０００３】
【特許文献１】特開２０１６−１０６８４３号公報
【発明の概要】
【発明が解決しようとする課題】
【０００４】
しかしながら、従来の、乳児又は幼児を利用の対象者とする敷物は、特許文献１の冷却用ジェルパッドのような付属品を利用しないと、多機能化を実現することが難しい。すなわち、付属品を利用することなく、ユーザごとに異なりうる多様な使用形態に対応することが、難しい。
【０００５】
そこで、１つの側面では、本発明は、付属品を利用せずに多機能化を実現できる敷物の提供を目的とする。
【課題を解決するための手段】
【０００６】
１つの側面では、乳児又は幼児を利用の対象者とし、前記対象者を支持する支持部に載置可能な敷物であって、平らな形態であり、前記支持部への載置状態において前記対象者の頭部と前記支持部との間に位置できる頭部用部位と、平らな形態であり、前記載置状態において前記対象者の胴部と前記支持部との間に位置できる胴部用部位とを備え、前記頭部用部位及び前記胴部用部位のうちの一方の部位は、他方の部位の端部を内部に挿入可能な収納部を有し、前記収納部と前記端部とは、複数種類の接続形態で取外し可能に接続可能であり、前記複数種類の接続形態は、前記載置状態において前記頭部用部位の表面側と前記胴部用部位の表面側とが前記対象者又は前記支持部に向く第１接続形態と、前記載置状態において前記頭部用部位の表面側と前記胴部用部位の裏面側とが前記対象者又は前記支持部に向く第２接続形態と、を含む敷物が提供される。
【発明の効果】
【０００７】
１つの側面では、本発明によれば、付属品を利用せずに多機能化を実現できる敷物の提供が可能となる。
【図面の簡単な説明】
【０００８】
【図１】本発明の第１実施形態に係る敷物の正面図である。
【図２】本発明の第１実施形態に係る敷物の頭部用部位を示す正面図である。
【図３】本発明の第１実施形態に係る敷物の頭部用部位を示す図であり、頭部用部位の収納部を開いた状態を示す斜視図である。
【図４】本発明の第１実施形態に係る敷物の胴部用部位を示す要部正面図である。
【図５】本発明の第１実施形態に係る敷物を車載用ベビーシートに載置した状態を示す正面図である。
【図６】本発明の第１実施形態に係る敷物の胴部用部位を車載用ベビーシートに載置した状態を示す正面図である。
【図７】本発明の第１実施形態に係る敷物をベビーカーに載置した状態を示す正面図である。
【図８】本発明の第２実施形態に係る敷物の要部正面図である。
【図９】本発明の第２実施形態に係る敷物の頭部用部位を示す正面図である。
【図１０】本発明の第２実施形態に係る敷物の胴部用部位を示す要部正面図である。
【発明を実施するための形態】
【０００９】
以下、添付図面を参照しながら各実施例について詳細に説明する。なお、添付図面では、見易さのために、複数存在する同一属性の部位には、一部のみしか参照符号が付されていない場合がある。
【００１０】
［第１実施形態］
図１〜図７に示すように、本発明の敷物１は、乳児又は幼児を利用の対象者とし、該対象者を支持する支持部に載置可能に構成される。例えば、支持部には、図５及び図６に示すような車載用ベビーシート１０１（又はチャイルドシート）の支持部１０２、図７に示すようなベビーカー２０１の支持部２０２、図示しないベビーチェアの支持部などが含まれる。
【００１１】
第１実施形態の敷物１は、上記した車載用ベビーシート１０１（又はチャイルドシート）の支持部１０２、ベビーカー２０１の支持部２０２、ベビーチェアの支持部に載置可能なベビーカーシートであり、頭部用部位２、胴部用部位３、及び脚部用部位４を備える。
【００１２】
［頭部用部位］
頭部用部位２は、対象者の頭部正面形状に倣った平らな形態であり、支持部１０２、２０２への載置状態において対象者の頭部と支持部１０２、２０２との間に位置することができる。
【００１３】
第１実施形態の頭部用部位２は、表面部２１、裏面部２２、周縁縫製部２３、取付紐部２４、収納部２５、及び第１面ファスナー２６を備える。
【００１４】
表面部２１と裏面部２２は、表面素材が異なる。例えば、表面部２１の表面素材には、触ると冷たさを感じる接触冷感素材が適用され、裏面部２２の表面素材には、吸湿性や吸水性に優れるコットンを含む素材が適用される。
【００１５】
接触冷感素材は、熱伝導率が高く、接触した対象者の熱を多く奪うことにより、対象者に冷たさ感じさせることができる反面、コットンに比べて吸湿性や吸水性に劣る。また、多くの接触冷感素材は、ポリエチレン、ポリエステル、ナイロンなどの化学繊維であるため、コットンなどの天然素材にこだわる親には敬遠される可能性がある。
【００１６】
このような頭部用部位２によれば、対象者の頭部に冷たさを感じさせたいという要望がある場合は、頭部用部位２の表面部２１が対象者に向くように支持部１０２、２０２に載置し、また、対象者の頭部から出る汗などの水分を積極的に吸水したいという要望や、対象者の頭部接触部は天然素材にしたいという要望がある場合は、頭部用部位２の裏面部２２が対象者に向くように支持部１０２、２０２に載置することにより、それぞれの要望をかなえることができる。
【００１７】
周縁縫製部２３は、重ね合わされた表面部２１と裏面部２２の周縁部同士を接合する。例えば、重ね合わされた表面部２１と裏面部２２の周縁部をバイアステープ２３１で挟み、これらを同時に縫製する。なお、収納部２５の入口２５１においては、表面部２１と裏面部２２の周縁部同士を接合させないため、表面部２１の周縁部と裏面部２２の周縁部にそれぞれバイアステープ２３１が縫製される。
【００１８】
取付紐部２４は、敷物１全体又は頭部用部位２を車載用ベビーシート１０１、ベビーカー２０１などに取付けるために、頭部用部位２から複数延在される。本実施形態の取付紐部２４は、周縁縫製部２３のバイアステープ２３１を利用して形成される。具体的には、周縁縫製部２３のバイアステープ２３１を延長し、該延長部を縫製することで形成される。
【００１９】
収納部２５は、頭部用部位２の下端部を入口２５１とし、表面部２１と裏面部２２との間に形成される袋状の空間である。収納部２５の内部には、胴部用部位３の上端部に突出状に形成される端部３５を挿入することができる。
【００２０】
第１面ファスナー２６は、収納部２５の内部で対向する２つの表面（表面部２１の裏面及び裏面部２２の裏面）にそれぞれ設けられる。面ファスナーは、多数のフック状突起を有するオス型面ファスナーと、多数のループ状突起を有し、オス型面ファスナーと係脱可能に係合するメス型面ファスナーとの組み合わせで使用される接合手段であり、メス型面ファスナーは、オス型面ファスナーに比べて肌への負担が少ない。本実施形態の第１面ファスナー２６は、オス型である。
【００２１】
［胴部用部位、脚部用部位］
胴部用部位３は、対象者の胴部正面形状に倣った平らな形態であり、支持部１０２、２０２への載置状態において対象者の胴部と支持部１０２、２０２との間に位置することができる。また、脚部用部位４は、対象者の脚部正面形状に倣った平らな形態であり、支持部１０２、２０２への載置状態において対象者の脚部と支持部１０２、２０２との間に位置することができる。なお、本実施形態の脚部用部位４は、胴部用部位３から一体的に連続して形成されるため、胴部用部位３の一部として説明し、脚部用部位４のみの説明は省略する。
【００２２】
第１実施形態の胴部用部位３（脚部用部位４を含む）は、表面部３１、裏面部３２、周縁縫製部３３、端部３５、及び第２面ファスナー３６を備える。
【００２３】
表面部３１と裏面部３２は、表面素材が異なる。例えば、頭部用部位２と同様に、表面部３１の表面素材には、触ると冷たさを感じる接触冷感素材が適用され、裏面部３２の表面素材には、吸湿性や吸水性に優れるコットンを含む素材が適用される。
【００２４】
このような胴部用部位３によれば、対象者の胴部（脚部を含む）に冷たさを感じさせたいという要望がある場合は、胴部用部位３の表面部３１が対象者に向くように支持部１０２、２０２に載置し、また、対象者の胴部から出る汗などの水分を積極的に吸水したいという要望や、対象者の胴部接触部は天然素材にしたいという要望がある場合は、胴部用部位３の裏面部３２が対象者に向くように支持部１０２、２０２に載置することにより、それぞれの要望をかなえることができる。すなわち、付属品を利用せずに多機能化を実現できる。
【００２５】
周縁縫製部３３は、重ね合わされた表面部３１と裏面部３２の周縁部同士を接合する。例えば、重ね合わされた表面部３１と裏面部３２の周縁部をバイアステープ３３１で挟み、これらを同時に縫製する。本実施形態では、胴部用部位３及び脚部用部位４の外周全体を一周にわたり連続的に縫製するにあたり、縫製の開始位置３３２は、胴部用部位３の外周のうちの直線状の区間内に設定される。このようにすると、縫製の開始位置３３２を曲線状の区間内に設定した場合に比べ、縫製の撚れを抑えて良好な仕上がりが可能になる。
【００２６】
端部３５は、胴部用部位３の上端部に突出状に形成され、頭部用部位２の収納部２５に挿入可能である。端部３５は、表面側と裏面側の２つの表面に、それぞれ第１面ファスナー２６に係合可能な第２面ファスナー３６を有する。また、第２面ファスナー３６は、メス型である。
【００２７】
［接続形態］
頭部用部位２の収納部２５と胴部用部位３の端部３５とは、複数種類の接続形態で取外し可能に接続することができる。複数種類の接続形態には、支持部１０２、２０２への載置状態において頭部用部位２の表面部２１と胴部用部位３の表面部３１とが対象者又は支持部１０２、２０２に向く第１接続形態と、支持部１０２、２０２への載置状態において頭部用部位２の表面部２１と胴部用部位３の裏面部３２とが対象者又は支持部１０２、２０２に向く第２接続形態とが含まれる。
【００２８】
このような敷物１によれば、頭部用部位２の表面部２１と胴部用部位３の表面部３１とが対象者に向く第１使用形態（第１接続形態の一方の使用形態）と、頭部用部位２の裏面部２２と胴部用部位３の裏面部３２とが対象者に向く第２使用形態（第１接続形態の他方の使用形態）と、頭部用部位２の表面部２１と胴部用部位３の裏面部３２とが対象者に向く第３使用形態（第２接続形態の一方の使用形態）と、頭部用部位２の裏面部２２と胴部用部位３の表面部３１とが対象者に向く第４使用形態（第２接続形態の他方の使用形態）とを実現できるので、使用期間を長くできるだけでなく、対象者の接触部位に応じて機能を切り換えることが可能になる。
【００２９】
例えば、気温が高い季節においては、敷物１を第１使用形態で使用することにより、対象者の頭部及び胴部（脚部を含む）に冷たさを感じさせることができる。また、気温が高い季節であっても、対象者の頭部から出る汗などの水分を積極的に吸水したい場合や、対象者の頭部接触部は天然素材にしたい場合は、第４使用形態を選択できる。また、その他の季節においては、第２使用形態を好適に選択できる。
【００３０】
また、本実施形態の敷物１では、頭部用部位２の収納部２５と胴部用部位３の端部３５とを接続することなく、頭部用部位２又は胴部用部位３（脚部用部位４を含む）を単体で使用することができる。このような使用形態には、表面部２１が対象者に向くように頭部用部位２のみを単体で使用する第５使用形態と、裏面部２２が対象者に向くように頭部用部位２のみを単体で使用する第６使用形態と、表面部３１が対象者に向くように胴部用部位３のみを単体で使用する第７使用形態と、裏面部３２が対象者に向くように胴部用部位３のみを単体で使用する第８使用形態とが含まれる。このような敷物１によれば、使用形態が更に増えるので、対象者や環境への適応性を高めることができる。
【００３１】
図６に示すように、敷物１を第７使用形態や第８使用形態で使用する場合は、胴部用部位３の第２面ファスナー３６が露出して対象者の肌に接触する可能性があるが、第２面ファスナー３６は、オス型に比べて肌への負担が少ないメス型であるため、対象者に不快感を与える可能性を低減できる。
【００３２】
［第１実施形態の効果］
以上のように構成された本実施形態によれば、乳児又は幼児を利用の対象者とし、対象者を支持する支持部１０２、２０２に載置可能な敷物１であって、平らな形態であり、支持部１０２、２０２への載置状態において対象者の頭部と支持部１０２、２０２との間に位置できる頭部用部位２と、平らな形態であり、載置状態において対象者の胴部と支持部１０２、２０２との間に位置できる胴部用部位３とを備え、頭部用部位２は、胴部用部位３の端部３５を内部に挿入可能な収納部２５を有する。収納部２５は、袋状の形態である。なお、収納部２５は、胴部用部位３の端部３５の挿入側が開口する袋状の形態であるが、他の部分が開口する袋状の形態であってもよい。収納部２５と端部３５とは、複数種類の接続形態で取外し可能に接続可能であり、複数種類の接続形態は、載置状態において頭部用部位２の表面部２１と胴部用部位３の表面部３１とが対象者又は支持部１０２、２０２に向く第１接続形態と、載置状態において頭部用部位２の表面部２１と胴部用部位３の裏面部３２とが対象者又は支持部１０２、２０２に向く第２接続形態と、を含むので、様々な使用形態を実現して敷物１の使用期間を長くできる。
【００３３】
また、頭部用部位２及び胴部用部位３は、表面部２１、３１の表面素材と、裏面部２２、３２の表面素材とが異なるので、対象者の接触部位に応じて機能を切り換えることが可能となる。
【００３４】
また、表面部２１、３１の表面素材は、触ると冷たさを感じる接触冷感素材を含み、裏面部２２、３２の表面素材は、コットンを含むので、対象者に冷たさを感じさせたい場合は、表面部２１、３１が対象者に向くように支持部１０２、２０２に載置し、また、対象者から出る汗などの水分を積極的に吸水したい場合や、対象者の接触部を天然素材にしたい場合は、裏面部２２、３２が対象者に向くように支持部１０２、２０２に載置することができる。
【００３５】
また、胴部用部位３から一体的に連続し、載置状態において対象者の脚部と支持部１０２、２０２との間に位置できる脚部用部位４とを更に備え、胴部用部位３及び脚部用部位４は、全体としての外周が一周にわたり連続的に縫製され、縫製の開始位置３３２は、胴部用部位３の外周のうちの直線状の区間内に設定されるので、縫製の開始位置３３２を曲線状の区間内に設定した場合に比べ、縫製の撚れを抑えて良好な仕上がりが可能になる。
【００３６】
また、収納部２５は、袋状の内部側の対向する２つの表面に、第１面ファスナー２６を有し、端部３５は、表面側と裏面側の２つの表面に、第１面ファスナー２６に係合可能な第２面ファスナー３６を有するので、第１接続形態及び第２接続形態を実現できる。
【００３７】
また、第２面ファスナー３６は、オス型に比べて肌への負担が少ないメス型としたので、第２面ファスナー３６が露出する使用形態において第２面ファスナー３６が対象者の肌に接触したとしても、対象者に不快感を与える可能性を低減できる。
【００３８】
［第２実施形態］
つぎに、本発明の第２実施形態に係る敷物１Ｂについて、図８〜図１０を参照して説明する。ただし、前記第１実施形態と共通の構成は、第１実施形態と同じ符号を用いることで、前記第１実施形態の説明を援用する場合がある。
【００３９】
図８〜図１０に示すように、第２実施形態の敷物１Ｂは、第１実施形態の収納部２５に相当する収納部３７が胴部用部位３Ｂの上端部に設けられ、第１実施形態の端部３５に相当する端部２７が頭部用部位２Ｂの下端部に設けられる点が第１実施形態と相違している。
【００４０】
このような第２実施形態の敷物１Ｂであっても、第１実施形態の敷物１と同様な効果が得られる。また、第２実施形態の胴部用部位３Ｂは、上端部に端部３５を有さず、上端部が直線的な形状を有するので、胴部用部位３Ｂのみを使用する第７使用形態及び第８使用形態において良好な外観となるだけでなく、第１面ファスナー３８及び第２面ファスナー２８の露出を回避して対象者の肌への負担を軽減できる。
【００４１】
以上、各実施例について詳述したが、特定の実施例に限定されるものではなく、特許請求の範囲に記載された範囲内において、種々の変形及び変更が可能である。また、前述した実施例の構成要素を全部又は複数を組み合わせることも可能である。
【符号の説明】
【００４２】
１、１Ｂ  敷物
２、２Ｂ  頭部用部位
２１  表面部
２２  裏面部
２３  周縁縫製部
２３１  バイアステープ
２４  取付紐部
２５  収納部
２５１  入口
２６  第１面ファスナー
２７  端部
２８  第２面ファスナー
３、３Ｂ  胴部用部位
３１  表面部
３２  裏面部
３３  周縁縫製部
３３１  バイアステープ
３３２  開始位置
３５  端部
３６  第２面ファスナー
３７  収納部
３８  第１面ファスナー
４  脚部用部位
１０１  車載用ベビーシート
１０２  支持部
２０１  ベビーカー
２０２  支持部
【図１】
0006983917.tif 000002
【図２】
0006983917.tif 000003
【図３】
0006983917.tif 000004
【図４】
0006983917.tif 000005
【図５】
0006983917.tif 000006
【図６】
0006983917.tif 000007
【図７】
0006983917.tif 000008
【図８】
0006983917.tif 000009
【図９】
0006983917.tif 000010
【図１０】
0006983917.tif 000011